(57)【要約】【課題】  本発明は、太陽電池の出力を安定化させるために光を当てるような大掛かりな製造装置を追加することなく、保管中や輸送中の時間に太陽電池の出力を安定化することができる梱包材や通い箱などの太陽電池保管容器および太陽電池保管方法を提供する。【解決手段】  太陽電池を収容する保管容器において、太陽電池に電圧を印加するための端子部を保管容器に設けたことを特徴とする。【選択図】  図１
2006165167.tif 000002
【特許請求の範囲】
【請求項１】
太陽電池を収容するために用いられる保管容器において、太陽電池に電圧を印加するための端子部を保管容器に設けたことを特徴とする太陽電池保管容器。
【請求項２】
太陽電池を収容するために用いられる保管容器において、保管容器は少なくとも太陽電池の受光面側に位置する部材には、光を遮蔽する材料を使用していることを特徴とする請求項1記載の太陽電池保管容器。
【請求項３】
太陽電池を収容するために用いられる保管容器において、太陽電池に電圧を印加するための端子部と該端子部に電圧を印加するための電圧印加部を保管容器に設けたことを特徴とする請求項１乃至2記載の太陽電池保管容器。
【請求項４】
太陽電池を収容するために用いられる保管容器において、保管容器には複数の太陽電池が格納されており、該複数の太陽電池は、互いに電気的に並列に接続されていることを特徴とする請求項１乃至３記載の太陽電池保管容器。
【請求項５】
太陽電池を収容するために用いられる保管容器において、保管容器には、一方の面に正極、一方の面に負極が形成されている太陽電池が複数格納されており、前記太陽電池の間には、少なくとも絶縁層を有する合紙が挟まれていることを特徴とする請求項１乃至４記載の太陽電池保管容器。
【請求項６】
太陽電池を収容するために用いられる保管容器において、一方の面に正極、一方の面に負極が形成されている太陽電池が複数収容されており、前記太陽電池の間には、少なくとも絶縁層と、少なくとも一方の電極と接する導電層を有する合紙が挟まれていることを特徴とする請求項１乃至５記載の太陽電池保管容器。
【請求項７】
太陽電池の保管方法において、少なくとも太陽電池の受光面側に受光面に光が入射しないように保管し、保管した後に、太陽電池に電圧を印加することを特徴とする太陽電池保管方法。
【発明の詳細な説明】
【技術分野】
【０００１】
本発明は、太陽電池を格納する保管容器および保管方法に関するものであり、例えば、アモルファスシリコン（非晶質半導体）または微結晶シリコン等の非単結晶半導体を用いた光起電力素子の出力を安定化させるために電流を注入することが可能とする保管容器および保管方法に関するものである。
【背景技術】
【０００２】
従来、太陽電池などとして用いられる光起電力素子としては、アモルファスシリコン（ａ−Ｓｉ：Ｈ）に代表されるアモルファス材料または微結晶シリコン等の非単結晶半導体材料が、安価で、大面積化及び薄膜化が可能であり、組成の自由度が大きく、電気的及び光学的特性を広い範囲で制御できる等の理由から注目されている。
【０００３】
しかしながらこれらにより構成された太陽電池には、強い光を当てると、初期に出力が下がり、その後出力が安定化する現象が見られる。そのために、生産直後の出力値は、設置後しばらくしてからの出力値が異なることがあり、インバータ等の容量に余裕をみたり、出力値の定格を安定化後の測定値にしたりする必要があるために実際に生産後しばらく光を当て安定化させるような処理が行われている。
【０００４】
この問題に関して、特許文献１には、光起電力素子の受光面に外光を入射する光入射部を有する太陽電池モジュールの梱包材が提案されており、製造後、設置までの間に入射する光で初期光劣化を終了させる初期劣化方法が記載されている。
【０００５】
また、非特許文献１には、太陽電池に順電流を印加することで光劣化と同等の作用効果があることが述べられており、実際に光を当てることなく、安定化出力にできる可能性があることを示唆している。
【特許文献１】特開平11-208711
【非特許文献１】「ａ−Ｓｉ太陽電池の光（電流）劣化および回復に伴う特性温度係数の変化」太陽／風力エネルギー講演論文集（1996）pp53-56
【発明の開示】
【発明が解決しようとする課題】
【０００６】
本発明は、上述したような太陽電池モジュールの初期の光劣化を、新たな製造工程や大きな設備を追加することなく、太陽電池の製造後に速く簡便な方法で確実に行うことできる太陽電池の保管容器および保管方法を提供することを目的とする。
【課題を解決するための手段】
【０００７】
上記の目的を達成すべく本発明では、太陽電池を収容するために用いられる保管容器において、太陽電池に電圧を印加するための端子部を保管容器に設けたことを特徴とする。
【０００８】
また、保管容器は少なくとも太陽電池の受光面側に位置する部材には、光を遮蔽する材料を使用していることを特徴とする。
【０００９】
また、太陽電池に電圧を印加するための端子部と該端子部に電圧を印加するための電圧印加部を保管容器に設けたことを特徴とする。
【００１０】
また、保管容器には複数の太陽電池が格納されており、該複数の太陽電池は、互いに電気的に並列に接続されていることを特徴とする。
【００１１】
また、保管容器には、一方の面に正極、一方の面に負極が形成されている太陽電池が複数格納されており、前記太陽電池の間には、少なくとも絶縁層を有する合紙が挟まれていることを特徴とする。
【００１２】
また、保管容器には、一方の面に正極、一方の面に負極が形成されている太陽電池が複数収容されており、前記太陽電池の間には、少なくとも絶縁層と、少なくとも一方の電極と接する導電層を有する合紙が挟まれていることを特徴とする。
【００１３】
さらに、太陽電池の保管方法において、少なくとも太陽電池の受光面側に光が入射しないように保管し、保管した後に、太陽電池に電圧を印加することを特徴とする。
【発明の効果】
【００１４】
以上説明したように、本発明によれば太陽電池の出力を安定化させるために光を当てるような大掛かりな製造装置を追加することなく、保管中や輸送中の時間に出力を安定化することができる梱包材や通い箱などの太陽電池保管容器および太陽電池保管方法を提供することが可能である。また、太陽電池に光を当てない状態での性能測定を梱包後に行うことができる。
【発明を実施するための最良の形態】
【００１５】
以下に図を用いて、本発明について詳細に説明するが、本発明の太陽電池収納容器はこれにより何ら限定されるものではない。
【００１６】
図１は、本発明の保管容器の一例を模式的に示す概略図である。
【００１７】
図１において、１０１は太陽電池、１０２は保管容器、１０３は端子部、１０４は電源である。
【００１８】
（太陽電池）
太陽電池１０１は、太陽電池セルもしくは太陽電池セルを直並列に接続した太陽電池セルブロック、太陽電池セルブロックを耐候性外囲器で覆った太陽電池モジュールのいずれであってもよい。また、本発明に用いられる太陽電池には特に限定はなく、シリコン半導体、化合物半導体や、色素増感太陽電池などを用いることができる。シリコン半導体の中でも、単結晶シリコン、多結晶シリコン、アモルファスシリコン、薄膜多結晶シリコンや、その組み合わせの構成などが使用できる。
【００１９】
（保管容器）
保管容器１０２は、材料としては、紙、プラスチック、発泡スチロール、布等太陽電池を保護できるものならば何でもよい。また、太陽電池等にフレーム等がついている場合には、その強度を利用して保管容器を構成すればよい。プラスチック等で繰り返し使用できる通い箱にすると材料を使い捨てにすることがなく好ましい。本発明では、太陽電池を生産後梱包し、出荷前の保管時に電源に接続して、太陽電池を安定化することが時間的なロスが少ないので、太陽電池を保護するための梱包を行った状態で行われることが好ましい。保管容器には、下記の端子部が取り付けられる。また、保管容器は分割でき、保管時の状態と出荷時の荷姿が変わる形態、すなわち端子部がついた部分が出荷時の梱包から分離するような構成にすると端子部が繰り返し使用できる。
【００２０】
（端子部）
端子部１０３は、保管容器に取り付けられ、太陽電池に電圧を印加できるものならば何でもよい。端子部自体が保管容器に固定されずに、端子部に接続されている電路が、保管容器に固定もしくは支持されていてもよい。この場合、ケーブル等がブッシングで支持される方法や、接着剤等で固定される方法が考えられる。端子部自体は、ワニ口クリップや、太陽電池側の出力端子に応じたコネクタ、太陽電池の出力端子に応じて加工したコネクタなど、太陽電池に電圧を印加できるものならば何でもよい。端子部には、保管容器内部もしくは外部に置かれた電源に延長される電路と接続されている。
【００２１】
（電源）
電源１０４は、太陽電池に所望の電圧および電流を印加できるものならば何でもよい。直流安定化電源や、蓄電池、キャパシタなどがある。蓄電池等は、保管容器に着脱可能にしておくと、輸送中等に安定化の処理が行え、好ましい。
【００２２】
（実施例１）
図２において、（ａ）は太陽電池セルの保管容器、（ｂ）は収容する太陽電池セルの外観図（上面と側面）、（ｃ）は端子部の拡大図である。
【００２３】
保管容器は厚手の紙製の２枚の板２０２で構成されており、端子部２０３が太陽電池セル２０１に接続できる穴が設けられている。端子部は、導電性の部分２０４と絶縁性の部分２０５でできており、それぞれの極の端子が、２枚紙製の板の中に通され、接着されている。
【００２４】
この保管容器に入れる太陽電池セル２０１は、図２（ｂ）に示すように、基板をステンレスとしたアモルファスシリコン太陽電池素子２０９に正極タブ２０７と負極タブ２０８が取り付けられており、正極タブはステンレス基板のエリアより外側に、負極タブはステンレス基板のエリアからはみ出さないように取り付けられている。
【００２５】
この太陽電池セルに対し、端子部は磁力で基板およびタブを挟み込むように取り付けられるようになっており、この端子部に電圧電流がかけられる被覆電線２０６がついている。被覆電線の先には、直流安定化電源が設けられている。
【００２６】
この構造により、保管時に保管された太陽電池セルに電圧を印加し、電流を流すことにより、太陽電池セルの出力を安定化させることができる。
【００２７】
（実施例２）
図３において、（ａ）は太陽電池モジュールの保管状態の上面外観図、（ｂ）は太陽電池モジュールの保管状態の下面外観図である。
【００２８】
保管容器全体はダンボール製の板３１０とバンド３０３、バンドと太陽電池モジュール３０１のフレーム間に挟まれて、フレームを保護する保護部材３０８で構成される保管容器３０２（ａ）と、端子部を固定し、太陽電池モジュールを保管容器３０２（ａ）に重ねられる枠として用いる保管容器３０２（ｂ）から成り立っている。太陽電池モジュールには、ジャンクションボックス３０４が取り付けられており、ここから出力コネクタ付ケーブル３０７が２本取り付けられている。この太陽電池モジュールに電圧を印加するための端子部３０５がこの出力コネクタに差し込めるような形状で形成されており、保管容器３０２（ｂ）に取り付けられていて、電源３０６の電力をケーブル３０９により供給される。
【００２９】
この構造により、保管時に保管された太陽電池モジュールに電圧を印加し、電流を流すことにより、太陽電池モジュールの出力を安定化させることができる。また、同時にマルチメータをこの端子から分岐させたもう一対のケーブルを取り付けることにより、例えば暗状態での太陽電池モジュールに光を当てない状態での性能測定を梱包後に行うことができる。さらに、保管容器３０２（ａ）は出荷時にそのまま太陽電池モジュールにつけたままで、保管容器３０２（ｂ）は繰り返し工場内で使用することにより、太陽電池のコストを抑えることができる。
【００３０】
（実施例３）
図４において、（ａ）は太陽電池セルの保管状態で上部の蓋を取ったときの外観図、（ｂ）は太陽電池セルと合紙を重ねた状態の断面図、（ｃ）は端子部Ａの拡大図である。
【００３１】
保管容器４０２はプラスチック製の箱およびその蓋で構成されており、中には、実施例１と同様の太陽電池セル４０１が複数入れられている。この太陽電池セルと保管容器の隙間には、太陽電池セルを保護する緩衝材４０３が置かれている。太陽電池セルは図４（ｂ）のように重ねられており、太陽電池セルの間には、絶縁層４０８である紙の上の一部に銅箔からなる導電層４０７が張られた合紙が挿入されている。この導電層は、太陽電池セルのエリアの外に引き出されている。図４（ｃ）のように、すべての太陽電池セルの正極と、導電層（銅箔）から構成される負極は、それぞれ同じ位置にきており、これらを束ねるクリップ状の端子部４０４がそれぞれの端子に取り付けられている。この端子部は、被覆電線４０９により、保管容器に取り付けられた着脱可能の蓄電池４０５と接続されており、所望の電圧を印加できるようになっている。
【００３２】
この構造により、保管時および運搬時に、保管された太陽電池セルに電圧を印加し、電流を流すことにより、太陽電池の出力を安定化させることができる。
【図面の簡単な説明】
【００３３】
【図１】本実施形態における太陽電池保管容器の一例を示す概略図である。
【図２】実施例１の太陽電池保管容器の一例を示す概略図である。
【図３】実施例２の太陽電池保管容器の一例を示す概略図である。
【図４】実施例３の太陽電池保管容器の一例を示す概略図である。
【符号の説明】
【００３４】
１０１  太陽電池
１０２、２０２、３０２、４０２  保管容器
１０３、２０３、３０５、４０４  端子部
１０４、３０６  電源
２０１、４０１  太陽電池セル
２０４  導電部
２０５  絶縁部
２０６、４０９  被覆電線
２０７、４１０  正極タブ
２０８  負極タブ
２０９  太陽電池素子
３０１  太陽電池モジュール
３０３  バンド
３０４  ジャンクションボックス
３０７、３０９  ケーブル
３０８  保護部材
３１０  表面保護板
４０３  緩衝材
４０５  蓄電池
４０７  導電層
４０８  絶縁層
【図１】
2006165167.tif 000003
【図２】
2006165167.tif 000004
【図３】
2006165167.tif 000005
【図４】
2006165167.tif 000006